(57)【要約】  リモコン装置（１）は、挿入穴（２６）が形成されたリモコン本体部（２）と、リモコン本体部（２）の挿入穴（２６）に挿抜可能に設けられ、電池（３）を着脱可能に保持する電池ホルダー（４）と、リモコン本体部（２）の内部に設けられる導電性の端子（６）と、電池ホルダー（４）をリモコン本体部（２）に固定可能なテープ（５）と、を備える。電池（３）は、電池ホルダー（４）とともに挿入穴（２６）に挿入された第１の位置で端子（６）と電気的に接続される。電池（３）は、第１の位置よりも浅く挿入穴（２６）に挿入された第２の位置で端子（６）から離れる。テープ（５）は、第２の位置の電池（３）を保持している電池ホルダー（４）をリモコン本体部（２）に固定する。
2020202319.tif 000002
【特許請求の範囲】
【請求項１】
挿入穴が形成されたリモコン本体部と、
前記リモコン本体部の前記挿入穴に挿抜可能に設けられ、電池を着脱可能に保持する電池ホルダーと、
前記リモコン本体部の内部に設けられる導電性の端子と、
前記電池ホルダーを前記リモコン本体部に固定可能な固定手段と、を備え、
前記電池は、前記電池ホルダーとともに前記挿入穴に挿入された第１の位置で前記端子と電気的に接続され、
前記電池は、前記第１の位置よりも浅く前記挿入穴に挿入された第２の位置で前記端子から離れ、
前記固定手段は、前記第２の位置の前記電池を保持している前記電池ホルダーを前記リモコン本体部に固定することを特徴とするリモコン装置。
【請求項２】
前記リモコン本体部は、前記第２の位置で、前記電池ホルダーと接触する接触部を有することを特徴とする請求項１に記載のリモコン装置。
【請求項３】
前記接触部は、前記挿入穴の内壁に形成された溝部であることを特徴とする請求項２に記載のリモコン装置。
【請求項４】
前記接触部は、前記挿入穴の内壁に形成された突起であることを特徴とする請求項２に記載のリモコン装置。
【請求項５】
前記固定手段は、前記電池ホルダーと前記リモコン本体部とに貼り付けられる剥離可能なテープであることを特徴とする請求項１から４のいずれか１項に記載のリモコン装置。
【請求項６】
前記テープの端には、前記テープを折り曲げて粘着面同士が貼り合わされた折曲部が形成されていることを特徴とする請求項５に記載のリモコン装置。
【請求項７】
前記リモコン本体部は、
操作部と、
前記操作部を覆う剥離可能な保護シートと、を有し、
前記テープの前記折曲部は、前記保護シートと対応する位置に配置されることを特徴とする請求項６に記載のリモコン装置。
【請求項８】
前記電池ホルダーには、前記溝部に嵌まる爪部が形成されており、
前記固定手段は、前記溝部と前記爪部であることを特徴とする請求項３に記載のリモコン装置。
【請求項９】
前記電池ホルダーには、前記突起に引っ掛かる爪部が形成されており、
前記固定手段は、前記突起と前記爪部であることを特徴とする請求項４に記載のリモコン装置。
【発明の詳細な説明】
【技術分野】
【０００１】
本発明は、リモコン装置に関する。
【背景技術】
【０００２】
近年、テレビ、エアコンなどの電子機器の軽量化および小型化が進んでいる。電子機器を遠隔操作するリモコン装置にも軽量化および小型化が求められるため、薄型の電池を使用したリモコン装置の開発が進んでいる。【０００３】
例えば、特許文献１には、操作部が設けられたリモコン本体部と、リモコン本体部の内部に挿抜可能に設けられ薄型の電池を着脱可能に保持する電池ホルダーとを備えるリモコン装置が記載されている。【０００４】
このようなリモコン装置を工場から出荷して市場に流通させる際には、電池の消耗を防ぐために、リモコン本体部と電池とを別々に包装することが一般的に行われている。なお、電池ホルダーは、リモコン本体部の内部に挿入されてリモコン本体部と一緒に包装される。
【先行技術文献】
【特許文献】
【０００５】
【特許文献１】特開２００４−２８１３１８号公報
【発明の概要】
【発明が解決しようとする課題】
【０００６】
しかしながら、上記従来の技術では、リモコン本体部と電池とを別々に包装するため、リモコン装置を購入した消費者が電池および電池ホルダーをリモコン本体部に取り付ける必要がある。すなわち、消費者は、電池ホルダーをリモコン本体部の内部から外部へ引き抜いた後、電池ホルダーに電池を入れ、電池ホルダーをリモコン本体部の内部に挿入するという一連の作業を行う必要がある。そのため、電池および電池ホルダーの取付作業が煩雑になり、消費者への負担が大きかった。【０００７】
上記従来の技術では、リモコン本体部と電池とを別々に包装するため、消費者が電池の向きと電池ホルダーの向きをメーカー指定の向きに合わせる必要があり、メーカー指定の向きと異なる向きで電池および電池ホルダーをリモコン本体部の内部に挿入するおそれがある。また、消費者がリモコン本体部の内部に電池のみを先に挿入してから電池ホルダーを挿入してしまい、リモコン本体部の内部に設けられる端子と電池とが電気的に接触しないおそれもある。【０００８】
本発明は、上記に鑑みてなされたものであって、電池および電池ホルダーをリモコン本体部に容易に取り付けることができるとともに、電池および電池ホルダーの誤挿入を防止することができるリモコン装置を得ることを目的とする。
【課題を解決するための手段】
【０００９】
上述した課題を解決し、目的を達成するために、本発明にかかるリモコン装置は、挿入穴が形成されたリモコン本体部と、リモコン本体部の挿入穴に挿抜可能に設けられ、電池を着脱可能に保持する電池ホルダーと、を備える。リモコン装置は、リモコン本体部の内部に設けられる導電性の端子と、電池ホルダーをリモコン本体部に固定可能な固定手段と、を備える。電池は、電池ホルダーとともに挿入穴に挿入された第１の位置で端子と電気的に接続される。電池は、第１の位置よりも浅く挿入穴に挿入された第２の位置で端子から離れる。固定手段は、第２の位置の電池を保持している電池ホルダーをリモコン本体部に固定する。
【発明の効果】
【００１０】
本発明によれば、電池および電池ホルダーをリモコン本体部に容易に取り付けることができるとともに、電池および電池ホルダーの誤挿入を防止することができるという効果を奏する。
【図面の簡単な説明】
【００１１】
【図１】本発明の実施の形態１にかかるリモコン装置を示す斜視図であって、リモコン装置を表側から見た図
【図２】本発明の実施の形態１にかかるリモコン装置を示す分解斜視図であって、リモコン装置を裏側から見た図
【図３】本発明の実施の形態１にかかるリモコン装置を示す平面図であって、リモコン装置を裏側から見た図
【図４】第１の位置の電池を保持している電池ホルダーを示す断面図
【図５】第２の位置の電池を保持している電池ホルダーを示す断面図
【図６】本発明の実施の形態２にかかるリモコン装置を示す図であって、第１の位置の電池を保持している電池ホルダーを示す拡大断面図
【図７】本発明の実施の形態２にかかるリモコン装置を示す図であって、第２の位置の電池を保持している電池ホルダーを示す拡大断面図
【図８】本発明の実施の形態２の変形例にかかるリモコン装置を示す図であって、第２の位置の電池を保持している電池ホルダーを示す拡大断面図
【発明を実施するための形態】
【００１２】
以下に、本発明の実施の形態にかかるリモコン装置を図面に基づいて詳細に説明する。なお、この実施の形態によりこの発明が限定されるものではない。
【００１３】
実施の形態１．
図１は、本発明の実施の形態１にかかるリモコン装置１を示す斜視図であって、リモコン装置１を表側から見た図である。図２は、本発明の実施の形態１にかかるリモコン装置１を示す分解斜視図であって、リモコン装置１を裏側から見た図である。図３は、本発明の実施の形態１にかかるリモコン装置１を示す平面図であって、リモコン装置１を裏側から見た図である。リモコン装置１は、リモコン本体部２と、電池３と、電池ホルダー４と、固定手段であるテープ５と、を備える。リモコン装置１は、テレビ、エアコンなどの電子機器を遠隔操作するための装置である。以下、リモコン装置１の各構成要素について方向を説明するときには、リモコン装置１の長さ方向、幅方向、厚さ方向を基準とする。電池ホルダー４をリモコン本体部２の内部に挿入する方向を単に挿入方向と称する。リモコン装置１のうち後述する操作部２１が露出する面を表面とし、表面と反対側の面を裏面とする。
【００１４】
リモコン本体部２は、幅寸法よりも厚さ寸法が小さい薄型の樹脂製ケースである。リモコン本体部２は、中空の直方体形状に形成されている。リモコン本体部２は、複数の操作部２１と、複数の操作部２１を覆う剥離可能な保護シート２２と、を有する。操作部２１の先端は、リモコン本体部２の表面に形成された孔２３から外部に露出している。操作部２１の基端は、リモコン本体部２の内部に配置されている。保護シート２２は、操作部２１を含むリモコン本体部２の表面に貼り付けられている。保護シート２２は、リモコン本体部２の表面の形状に適合する矩形状に形成されている。保護シート２２は、操作部２１の汚れおよび傷を防ぐ役割を果たす。図２に示すように、リモコン本体部２の裏面には、厚さ方向に沿って貫通する操作孔２４が形成されている。
【００１５】
図４は、第１の位置の電池３を保持している電池ホルダー４を示す断面図である。図５は、第２の位置の電池３を保持している電池ホルダー４を示す断面図である。なお、図４および図５では、端子６を破線で模式的に示している。端子６は、リモコン本体部２の内部に設けられる導電性の端子である。リモコン装置１の使用時には、図４に示すように、電池３は電池ホルダー４とともに挿入穴２６に挿入された第１の位置で端子６と電気的に接続される。リモコン装置１の流通時には、図５に示すように、電池３は第１の位置よりも浅く挿入穴２６に挿入された第２の位置で端子６から離れる。第２の位置の電池３は、端子６と電気的に接続されていない状態となる。
【００１６】
図２に示すように、リモコン本体部２には、電池ホルダー４を挿入するための挿入穴２６が形成されている。挿入穴２６は、リモコン本体部２のうち長さ方向に沿った一端に開口している。挿入穴２６の開口２５は、幅方向に沿って延びている。図４に示すように、挿入穴２６を囲う内壁には、第一ガイド部２６ａ、第二ガイド部２６ｂ、可動用ガイド部２６ｃ、第一支持部２６ｄ、第二支持部２６ｅおよび係止部２６ｆが形成されている。
【００１７】
第一ガイド部２６ａおよび第二ガイド部２６ｂは、幅方向に沿って互いに離間している。第一ガイド部２６ａは、電池ホルダー４を挿入穴２６に挿入する際に、後述する第一保持アーム４２を電池３に向かって弾性変形させる部位である。第一ガイド部２６ａは、挿入方向奥側に向かうほど第二ガイド部２６ｂに近付くように傾斜している。第二ガイド部２６ｂは、電池ホルダー４を挿入穴２６に挿入する際に、後述する第二保持アーム４３を電池３に向かって弾性変形させる部位である。第二ガイド部２６ｂのうち挿入方向奥側の部位は、挿入方向奥側に向かうほど第一ガイド部２６ａに近付く曲線状に形成されている。以下、リモコン装置１の幅方向で電池３に近付く方向を幅方向内側と規定し、リモコン装置１の幅方向で電池３から遠ざかる方向を幅方向外側と規定する。
【００１８】
接触部である可動用ガイド部２６ｃは、電池ホルダー４を挿入穴２６に挿入する際に、後述する可動アーム４４を第一保持アーム４２に向かって弾性変形させる部位である。可動用ガイド部２６ｃのうち挿入方向奥側の部位は、挿入方向奥側に向かうほど幅方向内側に位置するように緩やかに傾斜している。可動用ガイド部２６ｃは、第一ガイド部２６ａよりも挿入方向手前側で、かつ第一ガイド部２６ａよりも幅方向外側に配置されている。可動用ガイド部２６ｃは、図５に示す第２の位置で、電池ホルダー４と接触する。
【００１９】
第一支持部２６ｄは、第一ガイド部２６ａの挿入方向奥側の端部に連続して形成されている。第一支持部２６ｄは、挿入方向奥側に向かうほど幅方向外側に位置するように傾斜する傾斜面である。
【００２０】
第二支持部２６ｅは、第二ガイド部２６ｂの挿入方向奥側の端部に連続して形成されている。第二支持部２６ｅは、挿入方向奥側に向かうほど幅方向外側に位置するように傾斜する傾斜面である。
【００２１】
係止部２６ｆは、可動用ガイド部２６ｃの挿入方向奥側の端部に連続して形成されている。係止部２６ｆは、挿入方向奥側に向かって突出する突起である。
【００２２】
電池ホルダー４は、リモコン本体部２の挿入穴２６に挿抜可能に設けられ、電池３を着脱可能に保持する樹脂製部材である。電池３は、本実施の形態では円盤状の所謂ボタン電池である。電池ホルダー４は、ホルダー基部４１と、第一保持アーム４２と、第二保持アーム４３と、可動アーム４４と、を有する。
【００２３】
図４に示す第１の位置で、ホルダー基部４１は、開口２５を塞いでいる。ホルダー基部４１には、電池ホルダー４を挿入穴２６から引き抜く際に、消費者の爪先を掛けるための爪掛用凹部４１ａが形成されている。
【００２４】
第一保持アーム４２および第二保持アーム４３は、電池３を保持する部位である。第一保持アーム４２および第二保持アーム４３は、幅方向に沿って互いに離間している。電池３は、第一保持アーム４２と第二保持アーム４３との間に保持されている。第一保持アーム４２および第二保持アーム４３は、ホルダー基部４１から挿入方向奥側に向けて延びている。第一保持アーム４２および第二保持アーム４３は、挿入方向奥側に向かうほど互いに近付くように円弧状に延びている。第一保持アーム４２および第二保持アーム４３の曲率は、電池３の外周面の曲率と同じである。第一保持アーム４２のうち挿入方向奥側の端部には、幅方向外側に突出する第一爪部４２ａが形成されている。第一爪部４２ａは、図４に示す第１の位置で、第一支持部２６ｄに引っ掛けられる。第二保持アーム４３のうち挿入方向奥側の端部には、幅方向外側に突出する第二爪部４３ａが形成されている。第二爪部４３ａは、図４に示す第１の位置で、第二支持部２６ｅに引っ掛けられる。
【００２５】
可動アーム４４は、電池ホルダー４をリモコン本体部２に固定する部位である。可動アーム４４は、第一保持アーム４２を挟んで電池３と反対側に配置されている。可動アーム４４は、ホルダー基部４１から挿入方向奥側に向けて延びている。可動アーム４４は、挿入方向奥側に向かうほど第一保持アーム４２に近付くように曲線状に延びている。可動アーム４４と第一保持アーム４２との間は、切欠４５で分断されている。これにより、第一保持アーム４２に近付く方向の可動アーム４４の弾性変形が可能となる。可動アーム４４のうち挿入方向奥側の端部には、幅方向外側に突出する固定爪部４４ａが形成されている。固定爪部４４ａは、図４に示す第１の位置で、係止部２６ｆに引っ掛けられる。固定爪部４４ａには、厚さ方向に凹む差込用凹部４４ｂが形成されている。リモコン本体部２の操作孔２４は、厚さ方向で固定爪部４４ａの差込用凹部４４ｂと対応する位置に形成されている。
【００２６】
図１および図３に示すように、テープ５は、電池ホルダー４とリモコン本体部２とに貼り付けられる剥離可能な帯状部材である。テープ５は、リモコン本体部２の表面から電池ホルダー４の表裏両面を経て電池ホルダー４の裏面に亘って貼り付けられている。図１に示すテープ５は、保護シート２２を介してリモコン本体部２の表面に貼り付けられている。テープ５の長手方向に沿った一端には、テープ５を折り曲げて粘着面同士が貼り合わされた折曲部５１が形成されている。折曲部５１は、厚さ方向で保護シート２２と対応する位置に配置されている。テープ５は、図５に示す第２の位置の電池３を保持している電池ホルダー４をリモコン本体部２に固定する。テープ５は、固定爪部４４ａと可動用ガイド部２６ｃとが接触する位置で、電池ホルダー４をリモコン本体部２に固定する。
【００２７】
次に、図５を参照して、工場の出荷から消費者に購入されるまでの流通過程におけるリモコン装置１の状態について説明する。
【００２８】
リモコン装置１の流通過程では、電池ホルダー４が挿入穴２６に挿入されているものの、電池３が端子６から離れた第２の位置となる。第２の位置では、電池ホルダー４が挿入穴２６に移動不能に保持されるまで挿入されていない。詳しくは、第一爪部４２ａは、第一支持部２６ｄに引っ掛けられていない。第二爪部４３ａは、第二支持部２６ｅに引っ掛けられていない。固定爪部４４ａは、係止部２６ｆに引っ掛けられていない。また、第２の位置では、可動アーム４４は、固定爪部４４ａが可動用ガイド部２６ｃと接触することで、第一保持アーム４２に近付く方向に弾性変形している。テープ５は、第２の位置の電池３を保持している電池ホルダー４をリモコン本体部２に固定する。以上の状態でリモコン装置１は、工場から出荷されて市場に流通する。
【００２９】
次に、図１、図４および図５を参照して、消費者がリモコン装置１の使用を開始する手順について説明する。
【００３０】
リモコン装置１を購入した消費者は、図４および図５に示すように、まずリモコン本体部２および電池ホルダー４からテープ５を剥がす。このとき、図１に示す折曲部５１を掴んでテープ５を剥がす。
【００３１】
続いて、図５に示す状態から図４に示す状態へと電池ホルダー４を挿入穴２６に押し込む。電池ホルダー４を挿入穴２６に押し込むと、第一爪部４２ａが第一ガイド部２６ａに当たって、第一保持アーム４２が電池３に近付く方向に弾性変形する。第一爪部４２ａが第一ガイド部２６ａを乗り越えると、弾性復元力によって第一保持アーム４２が元の形状に復元し、第一爪部４２ａが第一支持部２６ｄに引っ掛かる。なお、第一爪部４２ａは、電池ホルダー４を挿入穴２６から引き抜く方向に力を加えると、第一支持部２６ｄから容易に外れる状態で第一支持部２６ｄに引っ掛かっている。
【００３２】
また、図５に示す状態から図４に示す状態へと電池ホルダー４を挿入穴２６に押し込むと、第二爪部４３ａが第二ガイド部２６ｂに当たって、第二保持アーム４３が電池３に近付く方向に弾性変形する。第二爪部４３ａが第二ガイド部２６ｂを乗り越えると、弾性復元力によって第二保持アーム４３が元の形状に復元し、第二爪部４３ａが第二支持部２６ｅに引っ掛かる。なお、第二爪部４３ａは、電池ホルダー４を挿入穴２６から引き抜く方向に力を加えると、第二支持部２６ｅから容易に外れる状態で第二支持部２６ｅに引っ掛かっている。
【００３３】
また、図５に示す状態から図４に示す状態へと電池ホルダー４を挿入穴２６に押し込むと、固定爪部４４ａが可動用ガイド部２６ｃに摺接する。固定爪部４４ａが可動用ガイド部２６ｃのうち幅方向内側に傾斜している部位に達すると、可動アーム４４が第一保持アーム４２に近付く方向にさらに弾性変形する。固定爪部４４ａが可動用ガイド部２６ｃを乗り越えると、弾性復元力によって可動アーム４４が元の形状に復元し、固定爪部４４ａが係止部２６ｆに引っ掛かる。固定爪部４４ａが可動用ガイド部２６ｃを乗り越えるまでは、可動アーム４４が弾性変形することで消費者の手に抵抗感が伝わってくるが、固定爪部４４ａが可動用ガイド部２６ｃを乗り越えると抵抗感が消失または減少する。このため、電池ホルダー４が第１の位置まで挿入されたことを消費者が触感で把握することができる。なお、固定爪部４４ａは、電池ホルダー４を挿入穴２６から引き抜く方向に力を加えても、係止部２６ｆから容易に外れない状態で係止部２６ｆに引っ掛かっている。
【００３４】
また、図５に示す状態から図４に示す状態へと電池ホルダー４を挿入穴２６に押し込むと、電池３が端子６と電気的に接続される。これにより、リモコン装置１の使用を開始できる。すなわち、図１に示す操作部２１を押圧することで図示しない電子機器を遠隔操作することが可能になる。
【００３５】
一方、電池３の交換時などに電池ホルダー４を挿入穴２６から引き抜く際は、まず図４に示す操作孔２４から差込用凹部４４ｂに細い棒状の道具を差し込む。続いて、可動アーム４４の弾性力に抗して道具で可動アーム４４を第一保持アーム４２に近付ける方向に移動させる。これにより、固定爪部４４ａが係止部２６ｆから外れる。この状態で爪掛用凹部４１ａに消費者の爪先を掛けて、電池ホルダー４を挿入穴２６から引き抜く方向に力を加えることで、第一爪部４２ａが第一支持部２６ｄから外れるとともに第二爪部４３ａが第二支持部２６ｅから外れる。これにより、挿入穴２６から電池ホルダー４を引き抜くことができる。
【００３６】
次に、リモコン装置１の作用効果について説明する。
【００３７】
本実施の形態では、図５に示すように、リモコン装置１の流通過程において、テープ５は、第２の位置の電池３を保持している電池ホルダー４をリモコン本体部２に固定する。このため、リモコン装置１を購入した消費者は、テープ５を剥がして、電池ホルダー４を挿入穴２６に押し込むだけでリモコン装置１の使用を開始できる。これにより、電池３および電池ホルダー４をリモコン本体部２に容易に取り付けることができる。また、電池３および電池ホルダー４の向きをメーカー指定の向きに合わせる必要がなくなるとともに、リモコン本体部２の内部に電池３のみを先に挿入することを防げるので、電池３および電池ホルダー４の誤挿入を防止することができる。
【００３８】
本実施の形態では、図５に示す第２の位置の電池３を保持している電池ホルダー４をテープ５でリモコン本体部２に固定するだけでよいので、リモコン本体部２への電池ホルダー４の固定のために電池ホルダー４およびリモコン本体部２の内部形状を改造する必要がない。このため、電池ホルダー４とリモコン本体部２との固定に容易に導入できる固定方法を提供することができる。
【００３９】
本実施の形態では、テープ５は、図５に示す第２の位置の電池３を保持している電池ホルダー４をリモコン本体部２に固定する。この固定状態では、電池３が端子６と電気的に接続されていない。このため、リモコン装置１の流通過程における電池３の消耗を防止することができる。
【００４０】
本実施の形態では、図５に示す第２の位置で、リモコン本体部２は、可動アーム４４と接触する可動用ガイド部２６ｃを有する。このため、電池ホルダー４を挿入穴２６に挿入した際に、可動用ガイド部２６ｃと接触した可動アーム４４が弾性変形することで消費者に抵抗感を与えることができる。そして、消費者に抵抗感を与える位置を第２の位置に設定することで、リモコン装置１の内部を視認できなくても、電池３が第２の位置となるまで電池ホルダー４が挿入穴２６に挿入されたことを消費者が触感で把握することができる。これにより、テープ５による電池ホルダー４の固定位置のばらつきを防ぐことができる。すなわち、電池３が第１の位置となるまで電池ホルダー４が挿入穴２６に挿入されたり、電池３が第２の位置よりも浅い位置までしか電池ホルダー４が挿入穴２６に挿入されずに外れやすくなったりすることを防ぐことができる。なお、消費者に抵抗感を与える構造は、可動用ガイド部２６ｃに可動アーム４４を接触させる構造に限定されるものではなく、適宜変更してよい。また、電池ホルダー４の構造は、図１から図５に示す構造に限定されるものではなく、適宜変更してよい。
【００４１】
本実施の形態では、図５に示す第２の位置の電池３を保持している電池ホルダー４をテープ５でリモコン本体部２に固定する。このため、リモコン装置１の搬送時に生じる衝撃および振動によって、電池ホルダー４が第１の位置まで挿入されること、および、電池ホルダー４の全体がリモコン本体部２から飛び出すことを防げる。
【００４２】
本実施の形態では、図１に示すように、テープ５の長手方向に沿った一端には、テープ５を折り曲げて粘着面同士が貼り合わされた折曲部５１が形成されていることで、折曲部５１を掴んでテープ５をリモコン本体部２および電池ホルダー４から剥がしやすくする。また、テープ５の長手方向に沿った一端に折曲部５１が形成されることで、テープ５を剥がす方向を一方向に定めることができる。
【００４３】
本実施の形態では、図１に示すように、テープ５の折曲部５１が厚さ方向で保護シート２２と対応する位置に配置されているため、消費者が折曲部５１からテープ５を剥がし始めることで、テープ５を剥がす際に保護シート２２が一緒に剥がれることを抑制することができる。
【００４４】
実施の形態２．
図６は、本発明の実施の形態２にかかるリモコン装置１を示す図であって、第１の位置の電池を保持している電池ホルダー４を示す拡大断面図である。図７は、本発明の実施の形態２にかかるリモコン装置１を示す図であって、第２の位置の電池を保持している電池ホルダー４を示す拡大断面図である。図６および図７は、可動アーム４４とその周辺を拡大した図である。なお、実施の形態２では、前記した実施の形態１と重複する部分については、同一符号を付して説明を省略する。
【００４５】
本実施の形態にかかるリモコン装置１の挿入穴２６の内壁には、可動アーム４４から離間する方向となる幅方向外側に凹む溝部２６ｇが形成されている。接触部である溝部２６ｇは、可動用ガイド部２６ｃのうち可動アーム４４に臨む面に形成されている。溝部２６ｇは、係止部２６ｆよりも挿入方向手前側に配置されている。図７に示す第２の位置で、可動アーム４４の固定爪部４４ａは、溝部２６ｇに嵌まる。爪部である固定爪部４４ａが溝部２６ｇに嵌まることで、電池ホルダー４がリモコン本体部２に固定される。係止部２６ｆは、幅方向内側かつ挿入方向奥側に向けて突出している。係止部２６ｆの先端は、溝部２６ｇの底部よりも幅方向内側に位置している。
【００４６】
本実施の形態では、前記した実施の形態１と同様の作用効果を奏することができる。本実施の形態では、図７に示す第２の位置で、可動アーム４４の固定爪部４４ａが溝部２６ｇに嵌まることで、電池ホルダー４がリモコン本体部２に固定される。このため、前記した実施の形態１のテープ５を使用せずに電池ホルダー４をリモコン本体部２に固定することもできる。この場合、溝部２６ｇと固定爪部４４ａは、電池ホルダー４をリモコン本体部２に固定可能な固定手段となる。なお、テープ５と溝部２６ｇを併用して、電池ホルダー４をリモコン本体部２に固定してもよい。このようにすると、電池ホルダー４をリモコン本体部２により一層強固に固定することができる。
【００４７】
本実施の形態では、図７に示す第２の位置で、可動アーム４４の固定爪部４４ａが溝部２６ｇに嵌まる。このため、電池ホルダー４を挿入穴２６に挿入した際に、溝部２６ｇの内壁と接触した可動アーム４４が弾性変形することで、消費者に抵抗感を与えることができる。そして、消費者に抵抗感を与える位置を第２の位置に設定することで、リモコン装置１の内部を視認できなくても、電池３が第２の位置となるまで電池ホルダー４が挿入穴２６に挿入されたことを消費者が触感で把握することができる。これにより、テープ５による電池ホルダー４の固定位置のばらつきを防ぐことができる。すなわち、電池３が第１の位置となるまで電池ホルダー４が挿入穴２６に挿入されたり、電池３が第２の位置よりも浅い位置までしか電池ホルダー４が挿入穴２６に挿入されずに外れやすくなったりすることを防ぐことができる。
【００４８】
可動アーム４４の固定爪部４４ａが溝部２６ｇに嵌まっている状態から電池ホルダー４を押し込むと、可動アーム４４の固定爪部４４ａと係止部２６ｆとの接触によって可動アーム４４が図示しない第一保持アーム４２に近付くように弾性変形する。この可動アーム４４の弾性変形で抵抗感が強まるが、固定爪部４４ａが係止部２６ｆを乗り越えると抵抗感が消失または減少する。このため、電池ホルダー４が第１の位置まで挿入されたことを消費者が触感で把握することができる。
【００４９】
なお、溝部２６ｇの代わりに図８に示す突起２６ｈを用いてもよい。図８は、本発明の実施の形態２の変形例にかかるリモコン装置１を示す図であって、第２の位置の電池を保持している電池ホルダー４を示す拡大断面図である。リモコン装置１の挿入穴２６の内壁には、可動アーム４４に向けて突出する突起２６ｈが形成されている。接触部である突起２６ｈは、可動用ガイド部２６ｃのうち可動アーム４４に臨む面に形成されている。突起２６ｈは、係止部２６ｆよりも挿入方向手前側に配置されている。図８に示す第２の位置で、突起２６ｈには、可動アーム４４の固定爪部４４ａが引っ掛かる。爪部である固定爪部４４ａが突起２６ｈに引っ掛かることで、電池ホルダー４がリモコン本体部２に固定される。このため、テープ５を使用せずに電池ホルダー４をリモコン本体部２に固定することができる。この場合、突起２６ｈと固定爪部４４ａは、電池ホルダー４をリモコン本体部２に固定可能な固定手段となる。なお、テープ５と突起２６ｈを併用して、電池ホルダー４をリモコン本体部２に固定してもよい。このようにすると、電池ホルダー４をリモコン本体部２により一層強固に固定することができる。
【００５０】
本変形例では、図８に示す第２の位置で、可動アーム４４の固定爪部４４ａが突起２６ｈに接触する。このため、電池ホルダー４を挿入穴２６に挿入した際に、突起２６ｈと接触した可動アーム４４が弾性変形することで消費者に抵抗感を与えることができる。そして、消費者に抵抗感を与える位置を第２の位置に設定することで、リモコン装置１の内部を視認できなくても、電池３が第２の位置となるまで電池ホルダー４が挿入穴２６に挿入されたことを消費者が触感で把握することができる。これにより、テープ５による電池ホルダー４の固定位置のばらつきを防ぐことができる。すなわち、電池３が第１の位置となるまで電池ホルダー４が挿入穴２６に挿入されたり、電池３が第２の位置よりも浅い位置までしか電池ホルダー４が挿入穴２６に挿入されずに外れやすくなったりすることを防ぐことができる。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  リモコン装置、２  リモコン本体部、３  電池、４  電池ホルダー、５  テープ、６  端子、２１  操作部、２２  保護シート、２３  孔、２４  操作孔、２５  開口、２６  挿入穴、２６ａ  第一ガイド部、２６ｂ  第二ガイド部、２６ｃ  可動用ガイド部、２６ｄ  第一支持部、２６ｅ  第二支持部、２６ｆ  係止部、２６ｇ  溝部、２６ｈ  突起、４１  ホルダー基部、４１ａ  爪掛用凹部、４２  第一保持アーム、４２ａ  第一爪部、４３  第二保持アーム、４３ａ  第二爪部、４４  可動アーム、４４ａ  固定爪部、４４ｂ  差込用凹部、４５  切欠、５１  折曲部。
【図１】
2020202319.tif 000003
【図２】
2020202319.tif 000004
【図３】
2020202319.tif 000005
【図４】
2020202319.tif 000006
【図５】
2020202319.tif 000007
【図６】
2020202319.tif 000008
【図７】
2020202319.tif 000009
【図８】
2020202319.tif 000010
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
挿入穴が形成されたリモコン本体部と、
前記リモコン本体部の前記挿入穴に挿抜可能に設けられ、電池を着脱可能に保持する電池ホルダーと、
前記リモコン本体部の内部に設けられる導電性の端子と、
前記電池ホルダーを前記リモコン本体部に固定可能な固定手段と、を備え、
前記電池は、前記電池ホルダーとともに前記挿入穴に挿入された第１の位置で前記端子と電気的に接続され、
前記電池は、前記第１の位置よりも浅く前記挿入穴に挿入された第２の位置で前記端子から離れ、
前記固定手段は、前記電池ホルダーと前記リモコン本体部とに貼り付けられる剥離可能なテープであることを特徴とするリモコン装置。
【請求項２】
前記固定手段は、前記第２の位置の前記電池を保持している前記電池ホルダーを前記リモコン本体部に固定することを特徴とする請求項１に記載のリモコン装置。
【請求項３】
前記リモコン本体部は、前記第２の位置で、前記電池ホルダーと接触する接触部を有することを特徴とする請求項１または２に記載のリモコン装置。
【請求項４】
前記接触部は、前記挿入穴の内壁に形成された溝部であることを特徴とする請求項３に記載のリモコン装置。
【請求項５】
前記接触部は、前記挿入穴の内壁に形成された突起であることを特徴とする請求項３に記載のリモコン装置。
【請求項６】
前記テープの端には、前記テープを折り曲げて粘着面同士が貼り合わされた折曲部が形成されていることを特徴とする請求項１から５のいずれか１項に記載のリモコン装置。
【請求項７】
前記リモコン本体部は、
操作部と、
前記操作部を覆う剥離可能な保護シートと、を有し、
前記テープの前記折曲部は、前記保護シートと対応する位置に配置されることを特徴とする請求項６に記載のリモコン装置。
【請求項８】
前記電池ホルダーには、前記溝部に嵌まる爪部が形成されており、
前記固定手段は、前記溝部と前記爪部であることを特徴とする請求項４に記載のリモコン装置。
【請求項９】
前記電池ホルダーには、前記突起に引っ掛かる爪部が形成されており、
前記固定手段は、前記突起と前記爪部であることを特徴とする請求項５に記載のリモコン装置。
【手続補正２】
【補正対象書類名】明細書
【補正対象項目名】０００９
【補正方法】変更
【補正の内容】
【０００９】
上述した課題を解決し、目的を達成するために、本発明にかかるリモコン装置は、挿入穴が形成されたリモコン本体部と、リモコン本体部の挿入穴に挿抜可能に設けられ、電池を着脱可能に保持する電池ホルダーと、を備える。リモコン装置は、リモコン本体部の内部に設けられる導電性の端子と、電池ホルダーをリモコン本体部に固定可能な固定手段と、を備える。電池は、電池ホルダーとともに挿入穴に挿入された第１の位置で端子と電気的に接続される。電池は、第１の位置よりも浅く挿入穴に挿入された第２の位置で端子から離れる。固定手段は、電池ホルダーとリモコン本体部とに貼り付けられる剥離可能なテープである。
【国際調査報告】
2020202319.tif 000011
2020202319.tif 000012
2020202319.tif 000013
2020202319.tif 000014